(57)【特許請求の範囲】
【請求項１】
車両に設けられ、光源からの光によって装飾体が照らされる発光表示装置において、
前記発光表示装置には、前記光源からの光を前記装飾体の外周縁部の内部へ進入させると共に、前記装飾体の外周縁部の内部へ進入した光を前記装飾体の外周縁部側から中心側へ向かわせる導光手段が設けられており、
前記導光手段は、前記装飾体の裏側に配設された板形状の導光体を備えると共に、前記導光体の外周縁部と前記装飾体の外周縁部とが光透過可能に接合されており、
前記光源は、前記導光体内へ投光可能に前記装飾体の裏側に設けられており、
前記光源から前記導光体内へ投射された光は、前記導光体の厚み方向と交差する方向へ、且つ前記導光体の中心部側から外周縁部側に向かう方向へ導かれ、
前記装飾体は、光透過性の材質によって形成されていると共に、前記光透過性の装飾体には反射部が設けられており、
前記反射部は、前記装飾体の裏面に凹み形成された凹部と、前記凹部の形成壁面を被覆する光反射層とによって構成されていると共に、前記導光手段によって前記装飾体の外周縁部の内部へ進入した前記光源からの光によって照らされ、
前記反射部を照らした前記光源からの光は、前記反射部によって前記装飾体の前方へ反射され、
前記装飾体の裏面は、前記光反射層以外の部分が光透過不能な光不透過層によって被覆されている発光表示装置。
【発明の詳細な説明】
【技術分野】
【０００１】
本発明は、車両に設けられ、光源からの光によって装飾体が照らされる発光表示装置に関する。
【背景技術】
【０００２】
車両に設けられたエンブレム（装飾体）を夜間でも視認できるようにするため、例えば特許文献１に開示のような発光表示装置が提案されている。特許文献１に開示の発光表示装置では、板状の導光部の前面側に板状のエンブレムを配設して表示部が構成されており、車両側の光源から表示部に入った光が導光部の周縁部から厚み方向と交差する方向へ向けて漏出される。これによりエンブレムがその周辺側から照らし出され、夜間でもエンブレムが視認可能である。
【特許文献１】特開２００５−２１５５９６号公報
【発明の開示】
【発明が解決しようとする課題】
【０００３】
しかし、特許文献１に開示の発光表示装置では、導光部の周縁部から漏れ出した光によってエンブレムを周辺側から照らし出す構成であるため、エンブレムの周辺部の光り方が淡く、夜間におけるエンブレムの視認性が不十分となるおそれがある。
【０００４】
本発明は、夜間における装飾体（エンブレム）の視認性を向上させることを目的とする。
【課題を解決するための手段】
【０００５】
本発明は、車両に設けられ、光源からの光によって装飾体が照らされる発光表示装置を対象とし、請求項１の発明は、前記発光表示装置には、前記光源からの光を前記装飾体の外周縁部の内部へ進入させると共に、前記装飾体の外周縁部の内部へ進入した光を前記装飾体の外周縁部側から中心側へ向かわせる導光手段が設けられており、前記導光手段は、前記装飾体の裏側に配設された板形状の導光体を備えると共に、前記導光体の外周縁部と前記装飾体の外周縁部とが光透過可能に接合されており、前記光源は、前記導光体内へ投光可能に前記装飾体の裏側に設けられており、前記光源から前記導光体内へ投射された光は、前記導光体の厚み方向と交差する方向へ、且つ前記導光体の中心部側から外周縁部側に向かう方向へ導かれ、前記装飾体は、光透過性の材質によって形成されていると共に、前記光透過性の装飾体には反射部が設けられており、前記反射部は、前記装飾体の裏面に凹み形成された凹部と、前記凹部の形成壁面を被覆する光反射層とによって構成されていると共に、前記導光手段によって前記装飾体の外周縁部の内部へ進入した前記光源からの光によって照らされ、前記反射部を照らした前記光源からの光は、前記反射部によって前記装飾体の前方へ反射され、前記装飾体の裏面は、前記光反射層以外の部分が光透過不能な光不透過層によって被覆されていることを特徴とする。
【０００６】
光源から投射された光の一部は、光透過性の装飾体の内部をその外周縁部側から中心側へ向かって反射部を照らし、反射部を照らした光源からの光は、反射部によって装飾体の前方へ反射される。従って、夜間における装飾体の視認性が向上する。
【０００７】
また、透過性の装飾体の内部を通ってきた光源からの光は、光反射層によって装飾体の前方へ反射される。装飾体の裏面に反射部を設ける構成は、異物付着防止に有利である。
【０００８】
さらに、光不透過層は、装飾体の前側から見たときの装飾体の裏側を視認不能とする。これは、光源が発光していない昼間における装飾体の見栄えの低下の回避に有効である。
【００１０】
装飾体の裏側に設けられた光源から導光体内へ投射された光は、導光体の外周縁部及び装飾体の外周縁部にて導光体内から装飾体内へと回り込んでゆく。導光体の外周縁部及び装飾体の外周縁部にて光源からの光を回り込ませる構成は、発光表示装置の薄型化に有利である。
【発明の効果】
【００１１】
本発明は、夜間における装飾体の視認性を向上できるという優れた機能を有する。
【発明を実施するための最良の形態】
【００１２】
以下、本発明を具体化した第１の実施形態を図１〜図３に基づいて説明する。
図１（ｂ）に示すように、楕円環形状の枠１１には楕円板形状の装飾体１２が嵌め込まれている。装飾体１２の基板部１２０の外周縁部１２３の裏側には環状のフランジ１３が一体形成されており、フランジ１３の内周は、テーパ１４に形成されている。テーパ１４は、装飾体１２の基板部１２０の裏面１２１から離れるにつれて拡径してゆく形状である。装飾体１２の裏側には楕円板形状の導光体１５が嵌め込まれている。導光体１５の外周は、テーパ１６に形成されている。テーパ１６は、導光体１５の裏面１５１から前面１５２に向かうにつれて縮径してゆく形状である。導光体１５側のテーパ１６と装飾体１２側のテーパ１４とは、接合されており、装飾体１２の裏面１２１と導光体１５の前面１５２との間には隙間１７が設けられている。
【００１３】
枠１１には楕円板形状の遮蔽板１８がフランジ１３の端面１３１に接合するように嵌め込まれている。遮蔽板１８とフランジ１３の端面１３１との接合は、遮蔽板１８とフランジ１３の端面１３１との間からの水の侵入を防止する。
【００１４】
図３に示すように、装飾体１２の基板部１２０の裏面１２１には溝１９が凹み形成されている。図３及び図１（ａ）に図示の例では、溝１９は、環状形状の標章を表す。
図２（ａ），（ｂ）に示すように、溝１９の形成壁面となる側壁面１９１，１９２及び底壁面１９３は、光を反射する光反射層２０によって被覆されている。光反射層２０は、例えばアルミニウムあるいは銀等を蒸着して形成される。側壁面１９１は、装飾体１２の基板部１２０の前面１２２から裏面１２１へ向かうにつれて、溝１９の幅方向に側壁面１９２側から側壁面１９１側へ変位する傾斜面に形成されている。側壁面１９２は、前面１２２から裏面１２１へ向かうにつれて、溝１９の幅方向に側壁面１９１側から側壁面１９２側へ変位する傾斜面に形成されている。つまり、側壁面１９１，１９２間の溝幅は、装飾体１２の基板部１２０の前面１２２から裏面１２１へ向かうにつれて、拡大してゆく。
【００１５】
装飾体１２の溝１９を除いた裏面１２１及びテーパ１４の一部は、彩色された光不透過層２１によって被覆されている。光不透過層２１は、塗装によって形成された光透過不能な層である。光不透過層２１は、装飾体１２の前側から見たときの装飾体１２の裏側を視認不能とする。
【００１６】
図１（ｂ）及び図３に示すように、導光体１５の裏面１５１には収容溝１５３が凹み形成されており、収容溝１５３には一対の光源２２，２３（例えば発光ダイオード）が直列に、且つ互いに背中合わせの配置となるように収容されている。一対の光源２２，２３は、楕円板形状の導光体１５の長径〔図１（ａ）に線Ｌで示す〕上に配置されており、光源２２，２３は、導光体１５の長径線Ｌ上で中心側から外周縁側に向かう方向、且つテーパ１４，１６の接合部２４を指向している。
【００１７】
図２（ａ），（ｂ）に示すように、導光体１５の前面１５２は、光を反射する反射層２５によって被覆されており、導光体１５の収容溝１５３を除いた裏面１５１は、光を反射する反射層２６によって被覆されている。反射層２５，２６は、例えばアルミニウムあるいは銀等を蒸着して形成される。枠１１の内周縁１１１は、装飾体１２の厚み方向に見た場合に、反射層２５の内部領域にはみ出している。
【００１８】
枠１１、装飾体１２、導光体１５及び遮蔽板１８は、合成樹脂製であり、装飾体１２及び導光体１５は、光透過可能な樹脂（例えば透明なアクリル樹脂）によって形成されている。枠１１は、光透過不能に彩色されている。テーパ１４とテーパ１６とは、光透過可能に接合されており、接合部２４は、光透過可能な箇所である。枠１１、装飾体１２、導光体１５、遮蔽板１８及び光源２２，２３から構成される発光表示装置は、例えば自動車のラジエータグリルに取り付けられる。
【００１９】
光源２２から投射された光は、直進してテーパ１４，１６の接合部２４に到達したり、反射層２５，２６で反射されながら接合部２４に到達する。接合部２４に到達した光は、接合部２４を透過する。つまり、光源２２からの光は、導光体１５の外周縁部１５４から装飾体１２のフランジ１３の内部へ進入する。導光体１５の外周縁部１５４からフランジ１３の内部へ進入した光は、フランジ１３の外周側の境界面からの反射や枠１１の内周側の境界面からの反射等によって、フランジ１３内部から基板部１２０の外周縁部１２３の内部へと回り込んでゆく。導光体１５の外周縁部１５４から装飾体１２のフランジ１３を経由して基板部１２０の外周縁部１２３の内部へと回り込んだ光は、基板部１２０の外周縁部１２３側から基板部１２０の中心側へと向かう。
【００２０】
図２（ａ）の矢印Ｒ１は、光源２２から導光体１５内へ投射された光が導光体１５内を進行する方向を概略的に示す。矢印Ｑ１は、導光体１５の外周縁部１５４から装飾体１２のフランジ１３を経由して基板部１２０の外周縁部１２３の内部へと回り込んだ光が装飾体１２の基板部１２０内を進行する方向を概略的に示す。
【００２１】
基板部１２０内を矢印Ｑ１の方向に進行する光は、楕円板形状の装飾体１２の短径〔図１（ａ）に線Ｓで示す〕よりも光源２２側にある側壁面１９１〔以下、側壁面１９１１と記し、図２（ａ）に図示〕を被覆する光反射層２０〔以下、光反射層２０１と記し、図２（ａ）に図示〕を照らす。又、基板部１２０内を矢印Ｑ１の方向に進行する光は、短径線Ｓよりも光源２３側にある側壁面１９２〔以下、側壁面１９２１と記し、図２（ｂ）に図示〕を被覆する光反射層２０〔以下、光反射層２０２と記し、図２（ｂ）に図示〕を照らす。光反射層２０１，２０２を照らした光源２２からの光は、光反射層２０１，２０２によって装飾体１２の前方〔図１（ｂ）に矢印Ｆで示すように導光体１５側から装飾体１２側へ向かう方向〕へ反射される。ここにおける前方とは、矢印Ｆで示す方向のみならず、矢印Ｆに対して傾いた斜め前方の方向も含む。
【００２２】
光源２３から投射された光は、光源２２からの投射光とは逆方向へ導光体１５内を進行して、フランジ１３内部から基板部１２０の内部へと回り込んでゆく。導光体１５の外周縁部１５４から装飾体１２のフランジ１３を経由して基板部１２０の外周縁部１２３の内部へと回り込んだ光源２３からの光は、基板部１２０の外周縁部１２３側から基板部１２０の中心側へと向かう。
【００２３】
図２（ｂ）の矢印Ｒ２は、光源２３から投射された光が導光体１５内を進行する方向を概略的に示す。矢印Ｑ２は、導光体１５の外周縁部１５４から装飾体１２のフランジ１３を経由して基板部１２０の外周縁部１２３の内部へと回り込んだ光が装飾体１２の基板部１２０内を進行する方向を概略的に示す。つまり、導光体１５の表裏に設けられた反射層２５，２６は、光源２２，２３から投射された光を導光体１５の厚み方向と交差する方向へ、且つ導光体１５の中心部側から外周縁部１５４側に向かう方向へ導く。そして、光源２２，２３から導光体１５内へ投射された光は、導光体１５の外周縁部１５４及び装飾体１２のフランジ１３にて導光体１５の外周縁部１５４内から装飾体１２の外周縁部１２３内へと回り込んでゆく。
【００２４】
導光体１５、反射層２５，２６及びフランジ１３は、光源２２，２３からの光を装飾体１２の外周縁部１２３の内部へ進入させると共に、装飾体１２の外周縁部１２３の内部へ進入した光を装飾体１２の外周縁部１２３側から中心側へ向かわせる導光手段を構成する。
【００２５】
基板部１２０内を矢印Ｑ２の方向に進行する光は、楕円板形状の装飾体１２の短径〔図１（ａ）に線Ｓで示す〕よりも光源２３側にある側壁面１９１〔以下、側壁面１９１２と記し、図２（ｂ）に図示〕を被覆する光反射層２０〔以下、光反射層２０３と記し、図２（ｂ）に図示〕を照らす。又、基板部１２０内を矢印Ｑ２の方向に進行する光は、短径線Ｓよりも光源２２側にある側壁面１９２〔以下、側壁面１９２２と記し、図２（ａ）に図示〕を被覆する光反射層２０〔以下、光反射層２０４と記し、図２（ａ）に図示〕を照らす。光反射層２０３，２０４を照らした光源２３からの光は、光反射層２０３，２０４によって装飾体１２の前方へ反射される。
【００２６】
溝１９及び光反射層２０は、装飾体１２に設けられた反射部２７を構成する。溝１９は、反射部２７を構成する凹部である。
第１の実施形態では以下の効果が得られる。
【００２７】
（１）光源２２，２３から投射された光の一部は、光透過性の装飾体１２の内部をその外周縁部１２３側から中心側へ向かい、反射部２７の側壁面１９１，１９２を照らす。反射部２７の側壁面１９１，１９２を照らした光源２２，２３からの光は、反射部２７の側壁面１９１，１９２によって装飾体１２の前方へ反射される。つまり、標章を表す溝１９の形成壁面である側壁面１９１，１９２は、光源２２，２３からの投射光を装飾体１２の前方へと反射する。従って、装飾体１２に施された標章が側壁面１９１，１９２からの反射光によって明瞭に視認され、装飾体１２に施された標章が夜間においても明瞭に視認される。つまり、夜間における装飾体１２の視認性が向上する。
【００２８】
（２）反射部２７に水が付着したり、反射部２７が塵によって汚れると、側壁面１９１，１９２からの反射光が減光して装飾体１２に施された標章の視認性が低回する。
反射部２７は、装飾体１２の裏面１２１に設けられており、反射部２７が面する隙間１７は、装飾体１２と遮蔽板１８との間に密封されている。従って、隙間１７には水、塵等の異物が侵入することはなく、反射部２７に水や塵が付着することはない。
【００２９】
（３）装飾体１２の前側から見たときの装飾体１２の裏側が透視可能になっているとすると、光源２２，２３が発光していない昼間における装飾体１２の見栄えが低下する。
装飾体１２の裏面１２１は、光を反射する光反射層２０以外の部分を光透過不能な光不透過層２１によって被覆されている。装飾体１２の前側から見たときの装飾体１２の裏側は、彩色された光不透過層２１によって視認不能となっている。光不透過層２１の色と光反射層２０の本来の色とを異ならせれば、光反射層２０によって表される装飾体１２上の標章は、光源２２，２３が発光していない昼間においても、明瞭に視認できる。つまり、装飾体１２の前側から見たときの装飾体１２の裏側を視認不能とした構成は、光源２２，２３が発光していない昼間における装飾体１２の見栄えの低下の回避に有効である。
【００３０】
（４）光源２２，２３から導光体１５内へ投射された光は、導光体１５の外周縁部１５４及び装飾体１２のフランジ１３にて導光体１５の外周縁部１５４内から装飾体１２の外周縁部１２３内へと回り込んでゆく。導光体１５の外周縁部１５４及び装飾体１２のフランジ１３にて光源２２，２３からの光を回り込ませる構成は、導光体１５内に光源２２，２３を横向き状態に内蔵可能にする。つまり、導光体１５の外周縁部１５４及び装飾体１２のフランジ１３にて光源２２，２３からの光を回り込ませる構成は、発光表示装置の薄型化に有利である。
【００３１】
（５）導光体１５の外周縁部１５４、装飾体１２のフランジ１３及び外周縁部１２３を回り込んできた光が装飾体１２の外周縁部１２３から前方へ漏れ出てしまう割合が大きくなると、光反射層２０からの反射光の量が減り、装飾体１２に施された標章の夜間における視認性が低下する。
【００３２】
枠１１の内周縁１１１が反射層２５の内部領域にはみ出すようにした構成では、導光体１５の外周縁部１５４、装飾体１２のフランジ１３及び外周縁部１２３を回り込んできた光が装飾体１２の外周縁部１２３から前方へ漏れ出てしまう割合を少なくする。つまり、枠１１の内周縁１１１が反射層２５の内部領域にはみ出すようにした構成は、装飾体１２に施された標章の夜間における視認性の向上に寄与する。
【００３３】
次に、図４の第２の実施形態を説明する。第１の実施形態と同じ構成部には同じ符合が用いてある。
導光体１５の外周は、４５°前後に傾斜したテーパ２８に形成されており、装飾体１２の外周は、４５°前後に傾斜したテーパ２９に形成されている。テーパ２８の傾斜面とテーパ２９の傾斜面とは、９０°前後の角度を成し、テーパ２８，２９は、光を反射する反射層３０，３１によって被覆されている。反射層３０，３１は、アルミニウムあるいは銀等を蒸着して形成されている。光源２２から投射された光は、反射層３０，３１にて反射されて、導光体１５の外周縁部１５４及び装飾体１２の外周縁部１２３を回り込んでゆく。
【００３４】
第２の実施形態では、第１の実施形態と同様の効果が得られる。又、導光体１５及び装飾体１２の外周に反射層３０，３１を設けたので、光源２２から投射された光が光反射層２０へ到達する割合が第１の実施形態の場合よりも高くなる。
【００３５】
次に、図５の第３の実施形態を説明する。第１の実施形態と同じ構成部には同じ符合が用いてある。
第３の実施形態では、平板形状の導光体１５Ａが用いられており、導光体１５Ａの前面１５２には反射層は設けられていない。導光体１５Ａの前面１５２に反射層がない構成では、導光体１５Ａの前面１５２に反射層がある構成に比べて、導光体１５Ａの外周縁部１５４に到達する光の量が幾分少なくなるが、第３の実施形態においても第１の実施形態と同様の効果が得られる。
【００３６】
本発明では以下のような実施形態も可能である。
○第１の実施形態において、枠１１の内周面を光反射層によって被覆してもよい。
【００３７】
○第１の実施形態において、光を反射する反射層によって溝１９の側壁面１９１，１９２を被覆し、溝１９の底壁面１９３を彩色した光不透過層によって被覆してもよい。
○第１〜第３の実施形態において、導光体１５の外周縁部１５４の付近に光源２２，２３を配設してもよい。
【００３８】
○第１〜第３の実施形態において、光源２２，２３とは別の一対の光源を楕円板形状の導光体の短径上に背中合わせとなるように直列に配設してもよい。
【００３９】
前記した実施形態から把握できる技術思想について以下に記載する。
〔１〕前記光源は、前記導光体内に横向き状態に内蔵されている請求項４に記載の発光表示装置。
【００４０】
発光表示装置の薄型化に有利である。
【図面の簡単な説明】
【００４１】
【図１】第１の実施形態を示し、（ａ）は、正面図。（ｂ）は、図１（ａ）のＡ−Ａ線断面図。
【図２】（ａ），（ｂ）は、部分拡大断面図。
【図３】分解背面図。
【図４】第２の実施形態を示す部分拡大断面図。
【図５】第３の実施形態を示す部分拡大断面図。
【符号の説明】
【００４２】
１２…装飾体。１２１…装飾体の裏面。１２３…装飾体の外周縁部。１３…導光手段を構成するフランジ。１５，１５Ａ…導光手段を構成する導光体。１５４…導光体の外周縁部。１９…反射部を構成する凹部としての溝。１９１，１９２…形成壁面としての側壁面。２０…反射部を構成する光反射層。２１…光不透過層。２２，２３…光源。２７…反射部。
【図１】
0004650190.tif 000002
【図２】
0004650190.tif 000003
【図３】
0004650190.tif 000004
【図４】
0004650190.tif 000005
【図５】
0004650190.tif 000006